(57)【特許請求の範囲】
【請求項１】
上下に２つのかごが連結して設けられ上かごが最下階に下かごが最上階に到達できない構造を有したダブルデッキエレベータの制御装置において、前記下かご内に設けられ特定の階床へのかごの応答を制限するサービス階切り離し運転の際の切り離し階を設定するための切り離し階設定モードにする下かご内切り離し階設定スイッチと、前記切り離し階設定モード中に前記下かご内の行き先階ボタンが押される毎にその階を切り離し階かサービス階かに切り替える切り離し階設定手段と、前記切り離し階段定手段によって切り替え設定された設定状況を報知する設定状況報知手段と、前記切り離し階設定モード中に前記下かご内の既設のボタンのうち予め割り当てられたボタンが押される毎に最上階を切り離し階かサービス階かに切り替える下かご到達不能階切り離し階設定手段と、前記下かご到達不能階切り離し階段定手段によって最上階が切り離し階に設定されているかサービス階に設定されているかに合わせて設定状況を報知する最上階設定状況報知手段とを備えたことを特徴とするダブルデッキエレベータの制御装置。
【請求項２】
前記予め割り当てられたボタンは、下かご戸開ボタン、下かご戸閉ボタンまたは下かご戸開延長ボタンであることを特徴とする請求項１に記載のダブルデッキエレベータの制御装置。
【請求項３】
上下に２つのかごが連結して設けられ上かごが最下階に下かごが最上階に到達できない構造を有したダブルデッキエレベータの制御装置において、前記上かご内に設けられ特定の階床へのかごの応答を制限するサービス階切り離し運転の際の切り離し階を設定するための切り離し階設定モードにする上かご内切り離し階設定スイッチと、前記切り離し階設定モード中に前記上かご内の行き先階ボタンが押される毎にその階を切り離し階かサービス階かに切り替える切り離し階設定手段と、前記切り離し階段定手段によって切り替え設定された設定状況を報知する設定状況報知手段と、前記切り離し階設定モード中に前記上かご内の既設のボタンのうち予め割り当てられたボタンが押される毎に最下階を切り離し階かサービス階かに切り替える上かご到達不能階切り離し階設定手段と、前記上かご到達不能階切り離し階設定手段によって最下階が切り離し階に設定されているかサービス階に設定されているかに合わせて設定状況を報知する最下階設定状況報知手段とを備えたことを特徴とするダブルデッキエレベータの制御装置。
【請求項４】
前記予め割り当てられたボタンは、上かご戸開ボタン、上かご戸閉ボタンまたは上かご戸開延長ボタンであることを特徴とする請求項３に記載のダブルデッキエレベータの制御装置。
【請求項５】
前記切り離し階設定モードに切り替えたときに、切り離し階の設定を行っているかごが到達できない階を切り離し階に設定するためにはかご内の既設のボタンのうちどのボタンを使用するのかを知らせる到達不能階切り離し方法報知手段を設けたことを特徴とする請求項１乃至請求項４に記載のダブルデッキエレベータの制御装置。
【発明の詳細な説明】
【０００１】
【発明の属する技術分野】
本発明は、上下に２つのかごが連結して設けられたダブルデッキエレベータの制御装置に係わり、特に、特定の階床へのかごの応答を制限するサービス踏切り離し運転を行うダブルデッキエレベータの制御装置に関する。
【０００２】
【従来の技術】
一般に、サービス階切り離し運転は、特定の階にエレベータが応答することを制限することによってセキュリティを維持したり、運転効率を向上させるたりするために用られている。このサービス階切り離し運転の際の切り離し階の設定は、通常、エレベータの管理者が行うものであり、その切り離し運転の設定方法の１つとして、エレベータかご内の行き先階ボタンを使用して設定する方法が用いられている。
【０００３】
この切り離し階設定方法では、まず、かご内の切り離し階設定スイッチによって切り離し階設定モードに切り替える。この切り離し階設定モードでは、かごは戸開放となり、行き先階ボタンによる行き先階の登録はできなくなり、行き先階ボタンは切り離し階の設定用ボタンとなる。
【０００４】
すなわち、戸開放となると、行き先階ボタンは既に切り離し階として設定されているときは、その階のランプが点灯する。この状態で行き先階ボタンが押される毎に、押された行き先階ボタンのランプが点灯か消灯かに交互に切り替わり、切り離し階の設定変更ができるようになっている。そして、切り離し階設定モードを終了するときに、行き先階ボタンのランプが点灯していた階が切り離し階に設定されることになる。
【０００５】
【発明が解決しようとする課題】
しかし、上下に２つのかごが連結した構造を持つダブルデッキエレベータでは、最上階のさらに上方に少なくとも１階床分の昇降行程（上方突出階）を設けない限り、下かごは最上階に到達することができない。すなわち、図７に示すように、上方突出階の無い建物では、上かご１８は最上階である６階に到達することができるが、下かご１９は最上階である６階に到達することができない。従って、下かご１９には通常は最上階の行き先階ボタンは設けられていないので、上かご１８に移動しなければ最上階を切り離し階に設定することができない。
【０００６】
同様に、最下階のさらに下側に少なくとも１階床分の昇降行程（下方突出階）を設けない限り上かご１８は最下階に到達することができない。すなわち、図８に示すように、下方突出階の無い建物では下かご１９は最下階である１階に到達することができるが、上かご１８は最下階である１階に到達することができないので、通常は、最下階の行き先階ボタンは設けられていない。そのため、下かご１９に移動しなければ最下階を切り離し階に設定することができない。
【０００７】
乗客へのサービス性から考えれば、上方突出階と下方突出階とを両方設けて上下どちらのかごでも全階に到達できるようにすることが望ましいが、上方突出階の場合、建物の上部に余分な突出物を持つことになり建物の強度や日照権の問題が生じてくる。また、下方突出階の場合、地下へ掘り下げる必要があるため建築コスト増大という問題が生じる。そのため、実際のダブルデッキエレベータでは、下かごが最上階に到達できなかったり上かごが最下階に到達できなかったりといった制約を持つ場合が多い。
【０００８】
このような制約を持ったダブルデッキエレベータに対して、前述の行き先階ボタンを使用して切り離し階を設定する方法を採用するためには、到達できない階の行き先階ボタンを余分に設ける必要があるが、各種制約例えばかご内の意匠上の制約等により実現できるとは限らない。
【０００９】
従って、下かごの操作では最上階を切り離し階に設定することができなかったり、上かごの操作では最下階を切り離し階に設定できない場合が生じる。
【００１０】
本発明の目的は、行き先階ボタンを使用してダブルデッキエレベータに切り離し階を設定する場合に、切り離し階の設定を行っているかごに行き先階ボタンがなくとも切り離し階の設定ができるダブルデッキエレベータの制御装置を得ることである。
【００１１】
【発明を解決するための手段】
請求項１の発明に係わるダブルデッキエレベータの制御装置は、下かご内に設けられ特定の階床へのかごの応答を制限するサービス階切り離し運転の際の切り離し階を設定するための切り離し階設定モードにする下かご内切り離し階設定スイッチと、切り離し階設定モード中に下かご内の行き先階ボタンが押される毎にその階を切り離し階かサービス階かに切り替える切り離し階設定手段と、切り離し階段定手段によって切り替え設定された設定状況を報知する設定状況報知手段と、切り離し階設定モード中に下かご内の既設のボタンのうち予め割り当てられたボタンが押される毎に最上階を切り離し階かサービス階かに切り替える下かご到達不能階切り離し階設定手段と、下かご到達不能階切り離し階段定手段によって最上階が切り離し階に設定されているかサービス階に設定されているかに合わせて設定状況を報知する最上階設定状況報知手段とを備えたものである。
【００１２】
請求項１の発明に係わるダブルデッキエレベータの制御装置では、下かご内切り離し階設定スイッチにより切り離し階設定モード中となったときは、到達可能階に対しては、下かご内の行き先階ボタンが押される毎に切り離し階設定手段はその階を切り離し階かサービス階かに切り替え、設定状況報知手段は切り離し階段定手段によって切り替え設定された設定状況を報知する。一方、下かご到達不能の最上階に対しては、下かご内の既設のボタンのうち予め割り当てられたボタンが押される毎に下かご到達不能階切り離し階設定手段は最上階を切り離し階かサービス階かに切り替え、最上階設定状況報知手段は下かご到達不能階切り離し階段定手段によって最上階が切り離し階に設定されているかサービス階に設定されているかに合わせて設定状況を報知する。
【００１３】
請求項２の発明に係わるダブルデッキエレベータの制御装置は、請求項１の発明において、予め割り当てられたボタンは、下かご戸開ボタン、下かご戸閉ボタンまたは下かご戸開延長ボタンのいずれかとしたものである。
【００１４】
請求項２の発明に係わるダブルデッキエレベータの制御装置では、請求項１の発明の作用に加え、予め割り当てられた下かご戸開ボタン、下かご戸閉ボタンまたは下かご戸開延長ボタンにより、下かご到達不能の最上階に対し、切り離し階またはサービス階に設定する。
【００１５】
請求項３の発明に係わるダブルデッキエレベータの制御装置は、上かご内に設けられ特定の階床へのかごの応答を制限するサービス階切り離し運転の際の切り離し階を設定するための切り離し階設定モードにする上かご内切り離し階設定スイッチと、切り離し階設定モード中に上かご内の行き先階ボタンが押される毎にその階を切り離し階かサービス階かに切り替える切り離し階設定手段と、切り離し階段定手段によって切り替え設定された設定状況を報知する設定状況報知手段と、切り離し階設定モード中に上かご内の既設のボタンのうち予め割り当てられたボタンが押される毎に最下階を切り離し階かサービス階かに切り替える上かご到達不能階切り離し階設定手段と、上かご到達不能階切り離し階設定手段によって最下階が切り離し階に設定されているかサービス階に設定されているかに合わせて設定状況を報知する最下階設定状況報知手段とを備えたものである。
【００１６】
請求項３の発明に係わるダブルデッキエレベータの制御装置では、上かご内切り離し階設定スイッチにより切り離し階設定モード中となったときは、到達可能階に対しては、上かご内の行き先階ボタンが押される毎に切り離し階設定手段はその階を切り離し階かサービス階かに切り替え、設定状況報知手段は切り離し階段定手段によって切り替え設定された設定状況を報知する。一方、上かご到達不能の最下階に対しては、上かご内の既設のボタンのうち予め割り当てられたボタンが押される毎に上かご到達不能階切り離し階設定手段は最下階を切り離し階かサービス階かに切り替え、最下階設定状況報知手段は上かご到達不能階切り離し階段定手段によって最下階が切り離し階に設定されているかサービス階に設定されているかに合わせて設定状況を報知する。
【００１７】
請求項４の発明に係わるダブルデッキエレベータの制御装置は、請求項３の発明において、予め割り当てられたボタンは、上かご戸開ボタン、上かご戸閉ボタンまたは上かご戸開延長ボタンのいずれかとしたものである。
【００１８】
請求項４の発明に係わるダブルデッキエレベータの制御装置では、請求項３の発明の作用に加え、予め割り当てられた上かご戸開ボタン、上かご戸閉ボタンまたは上かご戸開延長ボタンにより、上かご到達不能の最下階に対し、切り離し階またはサービス階に設定する。
【００１９】
請求項５の発明に係わるダブルデッキエレベータの制御装置は、請求項１乃至請求項４の発明において、切り離し階設定モードに切り替えたときに、切り離し階の設定を行っているかごが到達できない階を切り離し階に設定するためにはかご内の既設のボタンのうちどのボタンを使用するのかを知らせる到達不能階切り離し方法報知手段を設けたものである。
【００２０】
請求項５の発明に係わるダブルデッキエレベータの制御装置では、請求項１乃至請求項４の発明の作用に加え、切り離し階設定モードに切り替わったときは、到達不能階切り離し方法報知手段は、切り離し階の設定を行っているかごが到達できない階を切り離し階に設定するためのかご内の既設のボタンを知らせる。
【００２１】
【発明の実施の形態】
以下、本発明の実施の形態を説明する。図１は、本発明の第１の実施の形態に係わるダブルデッキエレベータの制御装置のブロック構成図である。
【００２２】
図１において、下かご内切り離し階設定スイッチ１は下かごに設けられ、下かごにてサービス階切り離し運転の際の切り離し階を設定する場合に、ダブルデッキエレベータを切り離し階設定モードにするものである。すなわち、下かごで切り離し階の設定を行うにあたっては、下かご内切り離し階設定スイッチ１をオンにする。これにより、ダブルデッキエレベータは切り離し階設定モードとなり、かごは戸開放となると共に下かご行き先階ボタン２は切り離し階の設定用ボタンとなる。
【００２３】
この状態で、エレベータ管理者は下かご行き先階ボタン２を操作して切り離し階を設定する。下かご行き先階ボタン２で設定された情報は切り離し階設定手段３に入力され、切り離し階設定手段３にて下かご行き先階ボタン２で設定された情報を切り替える。すなわち、切り離し階設定手段３は、下かご内切り離し階設定スイッチ１がオンの状態で、下かご行き先階ボタン２が押される毎に、下かご行き先階ボタン２が押された階の設定状況データを切り離し階とサービス階とに交互に切り替える。この場合の設定データとしては、例えば、１階床を１ビットに対応させて、切り離し階に対応したビットをオンにしたデータを用いる。
【００２４】
そして、設定状況報知手段４は、下かご内切り離し階設定スイッチ１がオンのときに、切り離し階設定手段３によって設定された設定状況データの内容を報知するものである。すなわち、設定状況データが切り離し階になっている階の下かご行き先階ボタンランプ５を点灯させて、切り離し階に設定されている階をエレベータ管理者に対し報知する。このようにして、下かごが到達可能階である階床に対して、切り離し階の設定を行う。
【００２５】
次に、下かごが到達不能階である最上階に対して、切り離し階の設定を行うにあたっては、予め定められた下かご内ボタン、例えば下かご戸開ボタン６で切り離し階の設定を行う。下かご戸開ボタン６で設定された情報は下かご到達不能階切り離し階設定手段７に入力され、下かご到達不能階切り離し階設定手段７にて下かご戸開ボタン６で設定された情報を切り替える。すなわち、下かご到達不能階切り離し階設定手段７は、下かご内切り離し階設定スイッチ１がオンのときに、下かご戸開ボタン６が押される毎に、最上階の設定データを切り離し階とサービス階とに交互に切り替える。
【００２６】
そして、最上階設定状況報知手段８は、下かご内切り離し階設定スイッチ１がオンのときに、下かご到達不能階切り離し階設定手段７によって設定された設定状況データの内容を報知するものである。すなわち、設定状況データが切り離し階になっているときは下かご戸開ボタンランブ９を点灯させて、最上階が切り離し階に設定されている階を報知する。このようにして、下かごが到達不能階である最上階に対して、切り離し階の設定を行う。
【００２７】
以上の説明では、最上階を切り離し階に設定するために使用するボタンとして、下かご戸開ボタン６を用いたが、この代わりに下かご戸閉ボタンや下かご戸開延長ボタン等を用いても良い。その場合、設定したことが分かるように下かご戸開ボタンランプ９の代わりになる表示装置を設けることになる。
【００２８】
図２は、本発明の第１の実施の形態に係わるダブルデッキエレベータの制御装置の動作を示すフローチャートである。
【００２９】
まず、下かご内切り離し階設定スイッチ１をオンにすることによって、下かごでの切り離し階設定モードとする（ステップ１）。この切り離し階設定モードの状態において、下かご行き先階ボタン２を押して、切り離し階設定手段３に対し切り離し階の設定を行う（ステップ２）。この設定内容は、設定状況報知手段４により下かご行き先階ボタンランプ５を点灯させて切り離し階に設定されている階を報知する（ステップ３）。
【００３０】
そして、下かご戸開ボタン６を押して下かご到達不能階切り離し階設定手段７に対し最上階の設定を行い（ステップ４）、この設定内容は、最上階設定状況報知手段８により下かご戸開ボタンランプ９を点灯させて最上階の切り離し情報を報知する（ステップ５）。
【００３１】
以上のように、この第１の実施の形態では、下かごに最上階の行き先階ボタンが設けられていない場合にも、下かごでの操作によって最上階を切り離し階に設定することができる。
【００３２】
次に、本発明の第２の実施の形態を説明する。図３は、本発明の第２の実施の形態に係わるダブルデッキエレベータの制御装置のブロック構成図である。この第２の実施の形態は、上かごにてサービス階切り離し運転の際の切り離し階を設定する場合のものである。
【００３３】
図３において、上かご内切り離し階設定スイッチ１０は上かごに設けられ、上かごにてサービス階切り離し運転の際の切り離し階を設定する場合に、ダブルデッキエレベータを切り離し階設定モードにするものである。すなわち、上かごで切り離し階の設定を行うにあたっては、上かご内切り離し階設定スイッチ１０をオンにする。これにより、ダブルデッキエレベータは切り離し階設定モードとなり、かごは戸開放となると共に上かご行き先階ボタン１１は切り離し階の設定用ボタンとなる。
【００３４】
この状態で、エレベータ管理者は上かご行き先階ボタン１１を操作して切り離し階を設定する。上かご行き先階ボタン１１で設定された情報は切り離し階設定手段３に入力され、切り離し階設定手段３にて上かご行き先階ボタン１１で設定された情報を切り替える。すなわち、切り離し階設定手段３は、上かご内切り離し階設定スイッチ１０がオンの状態で、上かご行き先階ボタン１１が押される毎に、上かご行き先階ボタン１１が押された階の設定状況データを切り離し階とサービス階とに交互に切り替える。この場合の設定データとしては、例えば、１階床を１ビットに対応させて、切り離し階に対応したビットをオンにしたデータを用いる。
【００３５】
そして、設定状況報知手段４は、上かご内切り離し階設定スイッチ１０がオンのときに、切り離し階設定手段３によって設定された設定状況データの内容を報知するものである。すなわち、設定状況データが切り離し階になっている階の上かご行き先階ボタンランプ１２を点灯させて、切り離し階に設定されている階をエレベータ管理者に対し報知する。このようにして、上かごが到達可能階である階床に対して、切り離し階の設定を行う。
【００３６】
次に、上かごが到達不能階である最下階に対して、切り離し階の設定を行うにあたっては、予め定められた上かご内ボタン、例えば上かご戸開ボタン１３で切り離し階の設定を行う。上かご戸開ボタン１３で設定された情報は上かご到達不能階切り離し階設定手段１４に入力され、上かご到達不能階切り離し階設定手段１４にて上かご戸開ボタン１３で設定された情報を切り替える。すなわち、上かご到達不能階切り離し階設定手段１４は、上かご内切り離し階設定スイッチ１０がオンのときに、上かご戸開ボタン１３が押される毎に、最上階の設定データを切り離し階とサービス階とに交互に切り替える。
【００３７】
そして、最下階設定状況報知手段１５は、上かご内切り離し階設定スイッチ１０がオンのときに、上かご到達不能階切り離し階設定手段１４によって設定された設定状況データの内容を報知するものである。すなわち、設定状況データが切り離し階になっているときは上かご戸開ボタンランブ１６を点灯させて、最下階が切り離し階に設定されている階を報知する。このようにして、上かごが到達不能階である最下階に対して、切り離し階の設定を行う。
【００３８】
以上の説明では、最下階を切り離し階に設定するために使用するボタンとして、上かご戸開ボタン１３を用いたが、この代わりに上かご戸閉ボタンや上かご戸開延長ボタン等を用いても良い。その場合、設定したことが分かるように上かご戸開ボタンランプ１６の代わりになる表示装置を設けることになる。
【００３９】
図４は、本発明の第２の実施の形態に係わるダブルデッキエレベータの制御装置の動作を示すフローチャートである。
【００４０】
まず、上かご内切り離し階設定スイッチ１０をオンにすることによって、上かごでの切り離し階設定モードとする（ステップ１）。この切り離し階設定モードの状態において、上かご行き先階ボタン１１を押して、切り離し階設定手段３に対し切り離し階の設定を行う（ステップ２）。この設定内容は、設定状況報知手段４により上かご行き先階ボタンランプ１２を点灯させて切り離し階に設定されている階を報知する（ステップ３）。
【００４１】
そして、上かご戸開ボタン１３を押して上かご到達不能階切り離し階設定手段１４に対し最下階の設定を行い（ステップ４）、この設定内容は、最下階設定状況報知手段１５により上かご戸開ボタンランプ１６を点灯させて最上階の切り離し情報を報知する（ステップ５）。
【００４２】
以上のように、この第２の実施の形態では、上かごに最下階の行き先階ボタンが設けられていない場合にも、上かごでの操作によって最下階を切り離し階に設定することができる。
【００４３】
次に、本発明の第３の実施の形態を説明する。図５は本発明の第３の実施の形態に係わるダブルデッキエレベータの制御装置のブロック構成図である。この第３の実施の形態は、図１に示した第１の実施の形態に対し、到達不能階切り離し方法報知手段１７を設けたものである。この到達階切り離し方法報知手段１７は、切り離し階設定モードに切り替わったときは、切り離し階の設定を行っているかご（下かご）が到達できない階（最上階）を切り離し階に設定するためのかご内の既設のボタン（下かご戸開ボタン）に報知し、エレベータ管理者に知らせるものである。その他の構成は、図１に示した第１の実施の形態と同一であるので、同一要素には、同一符号を付しその説明は省略する。
【００４４】
図５は第３の実施の形態に係わるダブルデッキエレベータの動作を示すフローチャートである。まず、下かご内切り離し階設定スイッチ１をオンにすることによって、下かごでの切り離し階設定モードになり上下両方のかごが戸開放になる（ステップ１）。このとき、到達不能階切り離し方法報知手段１７は、最上階を切り離し階に設定するためには下かご戸開ボタン６を押さなければならないことを、例えば「最上階の設定には戸開ボタンを使用して下さい。」等の音声出力によって報知する（ステップ２）。また、報知手段としては、音声出力の代わりにかご内のディスプレイ表示を用いても良い。以降、第１の実施の形態と同様にして切り離し階の設定を行う（ステップ３〜ステップ６）。
【００４５】
また、以上の説明は下かごで切り離し階の設定をする場合であるが、到達不能階切り離し方法報知手段１７は、上かごで切り離し階の設定を行う場合にも同様の報知を行う。すなわち、第２の実施の形態に対し、この到達階切り離し方法報知手段１７することも可能である。
【００４６】
以上のようにして、下かごで切り離し階の設定を行うときに、最上階の行き先階ボタンが無い場合の最上階の設定方法を作業者に知らせることが可能となり、また、上かごで切り離し階の設定を行うときに、最下階の行き先階ボタンが無い場合の最下階の設定方法を作業者に知らせることが可能となる。
【００４７】
【発明の効果】
以上述べたように、本発明によれば、下かご内に最上階の行き先階ボタンが無い場合でも最上階を切り離し階にすることが可能となり、また、上かご内に最下階の行き先階ボタンが無い場合でも最下階を切り離し階に設定することが可能となる。また、切り離し階を設定しているかごに行き先階ボタンが無い階の設定方法を作業者に知らせるので、その作業を円滑に支援することができる。
【図面の簡単な説明】
【図１】図１は、本発明の第１の実施の形態に係わるダブルデッキエレベータの制御装置のブロック構成図である。
【図２】図２は、本発明の第１の実施の形態に係わるダブルデッキエレベータの制御装置の動作を示すフローチャートである。
【図３】図３は、本発明の第２の実施の形態に係わるダブルデッキエレベータの制御装置のブロック構成図である。
【図４】図４は、本発明の第２の実施の形態に係わるダブルデッキエレベータの制御装置の動作を示すフローチャートである。
【図５】図５は、本発明の第３の実施の形態に係わるダブルデッキエレベータの制御装置のブロック構成図である。
【図６】図６は、本発明の第３の実施の形態に係わるダブルデッキエレベータの制御装置の動作を示すフローチャートである。
【図７】図７は、ダブルデッキエレベータにおける下かごの不到達階の説明図である。
【図８】図８は、ダブルデッキエレベータにおける上かごの不到達階の説明図である。
【符号の説明】
１  下かご内切り離し階設定スイッチ
２  下かご行き先階ボタン
３  切り離し階設定手段
４  設定状況報知手段
５  下かご行き先階ボタンランプ
６  下かご戸開ボタン
７  下かご到達不能階切り離し階設定手段
８  最上階設定状況報知手段
９  下かご戸開ボタンランプ
１０  上かご内切り離し階設定スイッチ
１１  上かご行き先階ボタン
１２  上かご行き先階ボタンランプ
１３  上かご戸開ボタン
１４  上かご到達不能階切り離し階設定手段
１５  最下階設定状況報知手段
１６  上かご戸開ボタンランプ
１７  到達不能階切り離し方法報知手段
１８  上かご
１９  下かご
【図１】
0003857377.tif 000002
【図２】
0003857377.tif 000003
【図３】
0003857377.tif 000004
【図４】
0003857377.tif 000005
【図５】
0003857377.tif 000006
【図６】
0003857377.tif 000007
【図７】
0003857377.tif 000008
【図８】
0003857377.tif 000009